(57)【要約】【課題】  蒸気タービン用の保温装置において、フランジ部を覆う水平ブロックを取り外す際の安全性を高め、早期に冷却できるようにする。【解決手段】  略コ字状に形成された水平ブロック（８）のフレーム本体（１２）に、ケーシングのフランジ部の上面に対向する上方収納部（１５）、側面に対向する側方収納部（１６）及び下面に対向する下方収納部（１７）を設ける。上記各収納部に着脱可能に嵌入するよう上面保温ブロック（２２）、側面保温ブロック（２３）及び下面保温ブロック（２４）を形成し、各保温ブロック（２２）、（２３）、（２４）に保温材（２８）を充填する。上記フランジ部を保温するときには、各保温ブロック（２２）、（２３）、（２４）を各収納部（１５）、（１６）、（１７）に挿入する。冷却する際は、各保温ブロック（２２）、（２３）、（２４）を取り外し、フレーム本体（１２）をフランジ部の周囲に残した状態で冷却する。【選択図】      図３
0003113625.tif 000002
【実用新案登録請求の範囲】
【請求項１】
略コ字状の水平ブロックを複数連結して蒸気タービンのフランジ部を覆うようにした蒸気タービン用の保温装置において、上記水平ブロックのフレーム本体に上記フランジ部の上面に対向する上方収納部と側面に対向する側方収納部と下面に対向する下方収納部を形成し、該上方収納部、側方収納部及び下方収納部にそれぞれ収納されるよう保温材を充填した上面保温ブロック、側面保温ブロック及び下面保温ブロックを設け、各保温ブロックを上記各収納部に着脱可能に嵌入したことを特徴とする蒸気タービン用の保温装置。
【請求項２】
上記上方収納部、側方収納部及び下方収納部には、上記上面保温ブロック、側面保温ブロック及び下面保温ブロックが摺動するスライド面が形成されている請求項１に記載の蒸気タービン用の保温装置。
【請求項３】
上記保温ブロックには、上記スライド面上を転動するようキャスターが設けられている請求項２に記載の蒸気タービン用の保温装置。
【請求項４】
上記キャスターは、金属製のボールキャスターである請求項３に記載の蒸気タービン用の保温装置。
【請求項５】
上記保温ブロック及び収納部間には、該保温ブロックを嵌入状態で係止するよう係止手段が設けられている請求項１に記載の蒸気タービン用の保温装置。
【請求項６】
上記係止手段はボールキャッチである請求項５に記載の蒸気タービン用の保温装置。
【請求項７】
上記フレーム本体の内側面には、保温材が設けられている請求項１に記載の蒸気タービン用の保温装置。
【考案の詳細な説明】
【技術分野】
【０００１】
本考案は発電所等で使用されている蒸気タービン用の保温装置に関し、特に該蒸気タービンのフランジ部の保温装置に係るものである。
【背景技術】
【０００２】
発電所等で使用される大型の蒸気タービンの車室は、半円筒状のケーシング部材を組み合せ側方に突出するフランジ部をボルトで接合し、その全周を保温壁体で覆ってある。この保温壁体は、定期検査工事や燃焼器点検時に取り外す必要があるので、取外可能な大きさや構造の成形体に形成されている（例えば、特許文献１参照）。しかし、蒸気タービンの運転時周囲は非常に高温になり、運転停止後、数時間経過しても未だかなりの高温状態を維持しているから、そのような高温時に取り外し作業するのは火傷等の危険があり、安全な作業とは言えない。また、従来知られている保温壁体は、連結可能なブロックを形成し、該ブロック全体を独立して取り外すよう構成されているので、１つの保温壁体を外すと、ケーシング部材やフランジ部が露出して作業員が接触しやすくなり、危険性が一層増大する。そのような欠点を解消するよう出願人は、開閉ブロックを有するフランジ部用の水平ブロックを提案し好評を得ているが（特許第３０９２００８号）、この水平ブロックは、すべての保温部を取り外すことができず、一部に固定ブロックが残るので冷却効率が不充分な場合があり、さらに蒸気タービンの冷却期間を短縮できるようにすることが望まれていた。
【特許文献１】実公昭４３−３１２０８号公報（第２図）
【考案の開示】
【考案が解決しようとする課題】
【０００３】
本考案の解決課題は、上述の如き蒸気タービンのフランジ部を保温する保温装置において、保温部材の取外作業の安全性を高め、早期に蒸気タービンを冷却できるようにした蒸気タービン用の保温装置を提供することである。
【課題を解決するための手段】
【０００４】
本考案によれば、略コ字状の水平ブロックを複数連結して蒸気タービンのフランジ部を覆うようにした蒸気タービン用の保温装置において、上記水平ブロックのフレーム本体に上記フランジ部の上面に対向する上方収納部と側面に対向する側方収納部と下面に対向する下方収納部を形成し、該上方収納部、側方収納部及び下方収納部にそれぞれ収納されるよう保温材を充填した上面保温ブロック、側面保温ブロック及び下面保温ブロックを設け、各保温ブロックを上記各収納部に着脱可能に嵌入したことを特徴とする蒸気タービン用の保温装置が提供され、上記課題が解決される。
【考案の効果】
【０００５】
本考案は上記のように構成され、上面保温ブロック、側面保温ブロック及び下面保温ブロックを、それぞれフレーム本体の上方収納部、側方収納部及び下方収納部に着脱可能に嵌入したので、早期に蒸気タービンを冷却したいときには、上記上面保温ブロック、側面保温ブロック及び下面保温ブロックをフレーム本体の各収納部から抜き取れば、該フレーム本体だけを残して全体が開放されるので、冷却効果を高めることができる。また、この状態でフランジ部は該フレーム本体で囲まれていて直接該フランジ部が露出しないから、作業員が該フランジ部に接触する危険性を少なくすることができ、安全である。
【考案を実施するための最良の形態】
【０００６】
図１は本考案の概略図を示し、略半円筒状のケーシング部材（１）、（２）は、フランジ部（３）、（４）でボルト（５）により締着されており、その周囲には、固定保温材（６）、防熱布団（７）が設けられ、上記フランジ部（３）、（４）は該フランジ部に沿って連結した複数の水平ブロック（８）で覆われている。また、一部には、温度計（９）が設けられ、該温度計は保温材（１０）、（１１）で囲まれている。
【０００７】
図２、図３を参照し、上記水平ブロック（８）は、フランジ部を囲むように略コ字状に形成され、フレーム本体（１２）に設けた連結金具（１３）をボルト（１４）で締着することによりフランジ部に沿って水平方向に複数連結されている（図４参照）。
【０００８】
上記水平ブロック（８）のフレーム本体（１２）は、型鋼若しくは帯鋼で形成され、上記フランジ部（３）、（４）の上面に対向する上方収納部（１５）と、側面に対向する側方収納部（１６）と、下面に対向する下方収納部（１７）を有し、各収納部（１５）、（１６）、（１７）の各開口部が側方に開口するよう略箱形状に形成されている。上記フレーム本体（１２）の内側面には、好ましくはセラミックウール等の保温材（１８）やエキスパンドメタル（１９）が設けられているが、該保温材（１８）等を省略することもできる。フレーム本体（１２）の外側面には、上記の如き連結金具（１３）や持ち運び用のハンドル（２０）が設けられ、隣接する水平ブロックに接する面にはパッキング用フエルト等のパッキング材（２１）が設けられている。
【０００９】
上記上方収納部（１５）、側方収納部（１６）及び下方収納部（１７）にそれぞれ収納されるよう上面保温ブロック（２２）、側面保温ブロック（２３）及び下面保温ブロック（２４）が設けられている。各保温ブロック（２２）、（２３）、（２４）は、ほぼ同じ構造であり、それぞれ上記収納部（１５）、（１６）、（１７）に着脱可能に嵌入する形状に形成されたフレーム（２５）を有し、該フレーム内にセラミックウール（２６）やロックウール（２７）等の保温材（２８）を充填し、エキスパンドメタル（２９）で補強してあり、外面には、ハンドル（２０）が設けられている。なお、上面保温ブロック（２２）の上面には、作業員が乗ることがあるので、鋼板（３０）等で補強され、ガラスクロス（３１）で外装してある。また、各保温ブロックの下面外側には、セラミックロール等の保温材を張設してある。
【００１０】
上記フレーム本体（１２）の各収納部（１５）、（１６）、（１７）には、上記保温ブロック（２２）、（２３）、（２４）を摺動させて出し入れすることができるようスライド面（３２）を形成してあり、各保温ブロック（２２）、（２３）、（２４）には該スライド面（３２）を転動するようキャスター（３３）を設けてある。該キャスター（３３）は、蒸気タービンの熱によって劣化したり、不具合を生じないよう金属製、好ましくはステンレス製のボールキャスターが用いられており、該ボールキャスターを用いることにより、比較的高温で重量のある保温ブロックでも円滑に出し入れすることができる。
【００１１】
また、上記保温ブロックと収納部間には、該保温ブロックを嵌入状態で仮保持できるよう係止手段が設けられている。該係止手段としては、上記保温ブロックを収納部に押し込んだときに係合し、該保温ブロックを収納部から引き出すときその係合が外れる程度の保持力を有する適宜のキャッチ式係止具が好適に使用でき、図に示す実施例ではボールキャッチが使用されている。該ボールキャッチは、図５に示すように対向状態で弾発された一対のボールを有するボールキャッチ本体（３４）をフレーム本体（１２）に設け、該ボールキャッチ本体（３４）のボール間に挿入されるボールキャッチ受け（３５）を保温ブロック（２２）、（２３）、（２４）に設けて係合、離脱可能に形成されている。該本体（３４）と受け（３５）の取付部材を逆にすることもできる。
【００１２】
上記水平ブロック（８）は、図２に示すようにフレーム本体（１２）の各収納部（１５）、（１６）、（１７）に保温ブロック（２２）、（２３）、（２４）を押し込んだ状態で隣接する他の水平ブロック（８）に連結され、若しくはフレーム本体（１２）を連結してから各保温ブロックを収納部に嵌入し、ケーシング部材のフランジ部を取り囲み、該フランジ部の周囲を保温することができる。そして、定期点検工事等のときには、上記保温ブロック（２２）、（２３）、（２４）を取り外せば、収納部が開放されて効率よくケーシングを冷却することができ、その際フレーム本体（１２）がフランジ部に残っているので、作業員がケーシングに直接接触する危険性を少なくすることができる。特に燃焼器点検時には、上記保温ブロックを取り外せば温度計の周囲の防熱布団等を外さずに冷却できるので便利である。上述のようにしてある程度ケーシングの温度が降下した時点でフレーム本体を取り外すようにすれば、一層安全に作業することができる。
【図面の簡単な説明】
【００１３】
【図１】本考案の一実施例を示し、ケーシングと水平フランジの関係を示す概略図。
【図２】水平ブロックを連結した状態の斜視図。
【図３】フレーム本体の保温材を取り除いた状態の分解斜視図。
【図４】フレーム本体の連結部分の一部の斜視図。
【図５】下面保温ブロック部分の拡大横断面図。
【図６】下面保温ブロック部分の拡大縦断面図。
【符号の説明】
【００１４】
３、４  フランジ部
８    水平ブロック
１２    フレーム本体
１５    上方収納部
１６    側方収納部
１７    下方収納部
２２    上面保温ブロック
２３    側面保温ブロック
２４    下面保温ブロック
２８    保温材
【図１】
0003113625.tif 000003
【図２】
0003113625.tif 000004
【図３】
0003113625.tif 000005
【図４】
0003113625.tif 000006
【図５】
0003113625.tif 000007
【図６】
0003113625.tif 000008